(57)【要約】      （修正有）【課題】浴槽から取り外した浴槽蓋を、風呂を使用する者の邪魔にならないように置いておくことができるようにした浴槽蓋ハンガーを提供する。【解決手段】折り畳んだ浴槽蓋６を宙に浮かせた状態で装脱可能に保持するハンガー本体２と、このハンガー本体２を壁面７に取り付けるための壁面取付部３とを具備してなる。【選択図】図１
0003151547.tif 000002
【実用新案登録請求の範囲】
【請求項１】
折り畳んだ浴槽蓋を宙に浮かせた状態で装脱可能に保持するハンガー本体と、このハンガー本体を壁面に取り付けるための壁面取付部とを具備してなることを特徴とする浴槽蓋ハンガー。
【請求項２】
前記ハンガー本体が、複数の蓋支持部材からなる請求項１記載の浴槽蓋ハンガー。
【請求項３】
壁面取付部が、複数の取付部材からなる請求項１又は２記載の浴槽蓋ハンガー。
【請求項４】
前記蓋支持部材が、前記浴槽蓋の下面側を受ける下面受け部を備えたものである請求項２又は３記載の浴槽蓋ハンガー。
【請求項５】
前記蓋支持部材が、前記下面受け部に支持された前記浴槽蓋を上方に取り外すのを阻止する外れ止め部をさらに備えている請求項４記載の浴槽蓋ハンガー。
【請求項６】
前記ハンガー本体が、前記浴槽蓋以外の物品を支持するためのオプション支持部を備えている請求項１，２，３，４又は５記載の浴槽蓋ハンガー。
【請求項７】
前記ハンガー本体が、同一形状を成す１対の前記蓋支持部材を備えたものである請求項２，３，４，５又は６記載の浴槽蓋ハンガー。
【考案の詳細な説明】
【技術分野】
【０００１】
本考案は、浴槽蓋を邪魔にならないように片付けておくための設備に関するものである。
【背景技術】
【０００２】
従来、入浴の際などに浴槽から取り外した浴槽蓋は、浴槽の周縁部に立て掛けておいたり、洗い場の床に置いたりしていることが一般的であった。このようなものは、立て掛けてある状態から突然倒れてしまうことがあるのみならず、洗い場で体を洗う際等には、手足が浴槽蓋に当たり、邪魔になるなどの弊害があった。また、浴槽蓋を洗い場の床に置いておくと、湿気を帯びたり石けん等の付着物が蓄積したりして滑りやカビが発生し易く、衛生的にも必ずしも好ましいものではなかった（例えば特許文献１参照）。
【先行技術文献】
【特許文献】
【０００３】
【特許文献１】特開平９−１０８１３１号公報
【考案の概要】
【考案が解決しようとする課題】
【０００４】
本考案は、このような課題に着目してなされたものであって、主たる目的は、浴槽から取り外した浴槽蓋を邪魔にならないように置いておくことができるようにした浴槽蓋ハンガーを提供することにある。
【課題を解決するための手段】
【０００５】
本考案は、以上のような目的を達成するために、次のような手段を講じたものである。すなわち、本考案に係る浴槽蓋ハンガーは、折り畳んだ浴槽蓋を宙に浮かせた状態で装脱可能に保持するハンガー本体と、このハンガー本体を壁面に取り付けるための壁面取付部と具備してなることを特徴とする。
【０００６】
このような構成のものであれば、壁面に折りたたんだ前記浴槽蓋を宙に浮かせた状態で保持することができるので浴槽から取り外した前記浴槽蓋を邪魔にならないよう適切に置いておくことができ、風呂全体としての利便性を向上することができる。しかも、前記浴槽蓋を宙に浮かせた状態で保持することにより、前記浴槽蓋の通気性が向上し、湿気を帯びた状態が解消されるとともに、石けん等の付着物が蓄積しにくくなり、衛生的に極めて優れたものとなる。ここで「宙に浮かせた状態」とは、床面から離れた状態をいい、わずかでも床面から離間していればこれに該当する。
【０００７】
前記ハンガー本体が、複数の蓋支持部材からなるものであれば、複数個所でで前記浴槽蓋を支持することができるため個々の前記蓋支持部材を比較的コンパクトな形状のものにすることができ、前記浴槽蓋の通気性をより一層向上させるものとなる。
【０００８】
前記壁面取付部が、複数の取付部材からなるものであれば、凹凸のある壁面にも容易に取り付けることができる。
【０００９】
なお、前記蓋支持部材としては、前記浴槽蓋の下面側を受ける下面受け部を備えたものを挙げることができる。このようなものであると、重力に抗して前記浴槽蓋を上方に支持することができるため、前記浴槽蓋を好適に支持することができる。
【００１０】
さらに、前記蓋支持部材が、前記下面受け部に支持された前記浴槽蓋を上方に取り外すのを阻止する外れ止め部を具備しているものであれば、前記浴槽蓋の上方への取り外しを阻止することができるので、接触等によって前記浴槽蓋が上方から飛び出し、落下するのを防ぐことができる。
【００１１】
前記ハンガー本体が、前記浴槽蓋以外の物品を支持するためのオプション支持部を備えたものであれば、前記ハンガー本体に前記浴槽蓋以外の物品を支持するための部材を装着することができるので、前記浴槽蓋以外の物品を支持して風呂の利便性をより一層向上させることに寄与するものとなる。ここで、「オプション」とは、前記浴槽蓋以外の物品を支持するための部材をいう。また、「浴槽蓋以外の物品」とは、タオルや身体を洗うためのタワシ等が代表的なものであるが、これらの他にも洗面用具や風呂掃除用具等の風呂関連用品や、風呂とは無関係の物品等、種々のものを挙げることができる。
【００１２】
前記浴槽蓋を安定的に保持するとともに製造効率の向上に寄与する構成としては、前記ハンガー本体が、同一形状を成す１対の前記蓋支持部材を備えたものを挙げることができる。
【考案の効果】
【００１３】
以上説明したように本考案によれば、浴槽から取り外した浴槽蓋を、風呂を使用する者の邪魔にならないように置いておくことができるようにした浴槽蓋ハンガーを提供することができる。
【図面の簡単な説明】
【００１４】
【図１】本実施形態に係る浴槽蓋ハンガーの使用状態を示す図。
【図２】同浴槽蓋ハンガーを示す斜視図。
【図３】同浴槽蓋ハンガーのハンガー構成物品を示す側面図。
【図４】同ハンガー構成物品を壁面に取り付けた状態を示す斜視図。
【図５】同浴槽蓋ハンガーのオプション取付を説明する斜視図。
【図６】本実施形態の第１変形例に係るハンガー構成物品を示す斜視図。
【図７】本実施形態の第２変形例に係るハンガー構成物品を示す斜視図。
【図８】本実施形態の第３変形例に係るハンガー構成物品を示す斜視図。
【図９】本実施形態の第４変形例に係るハンガー構成物品を示す斜視図。
【考案を実施するための形態】
【００１５】
以下、本考案の一実施形態を、図１ないし図５を参照して説明する。
【００１６】
この浴槽蓋ハンガー１は、図１ないし図５に示すように、折り畳んだ浴槽蓋６を宙に浮かせた状態で装脱可能に保持するハンガー本体２と、このハンガー本体２を壁面７に取り付けるための壁面取付部３とを具備してなる。
【００１７】
前記ハンガー本体２は、図１、図２及び図５に示すように、複数の蓋支持部材２１からなっている。具体的には、前記浴槽蓋６を受ける下面受け部２１１を備えた１対の前記蓋支持部材２１から成る。すなわち、前記蓋支持部材２１は、合成樹脂により一体に成形されたものであり、全体形状がほぼＪの字形を成している。
【００１８】
前記壁面取付部３は、図１、図２及び図５に示すように、複数の前記取付部材３１から成っている。具体的には、壁面７に取り付けるための取付面３１１を備えた１対の前記取付部材３１から成る。すなわち、前記取付部材３１は、合成樹脂により一体に成形されたもので、全体形状が四角柱を成しており、その１つの側面を前記取付面３１１としている。そして、この前記取付面３１１に開口するように止着具装着部たるビス挿通孔３１２を設けており、このビス挿通孔３１２に挿通される前記止着具たるビス４によってこの前記取付部材３１が浴室の壁面７に取り付けられるようになっている。
【００１９】
なお、各前記取付部材３１は前記各蓋支持部材２１の基端に連続するように一体成形されており、この前記取付部材３１と前記蓋支持部材２１とによってハンガー構成部品１１が構成されている。この実施形態の浴槽蓋ハンガー１は、同一形状を成す１対の前記ハンガー構成部品１１から成っている。
【００２０】
そしてこれらの前記ハンガー構成部品１１は、図１、図２及び図５に示すように左右方向に一定の間隔をあけて、壁面７の同一高さ位置に取り付けられる。すなわち、前記ハンガー構成部品１１を壁面７に取り付けた状態では、前記蓋支持部材２１の先端が壁面７より突出して、折り畳まれた前記浴槽蓋６の両端部近傍を支持するようにしている。
【００２１】
なお、前記ハンガー本体２は、図１ないし図５に示すように、前記浴槽蓋６以外の物品を支持するためのオプション支持部２２を備えており、具体的には、前記蓋支持部材２１の先端を前記オプション支持部２２としている。この前記オプション支持部２２に取り付けられるオプションとしては、図５に示すようなタオル掛け５などを挙げることができる。このタオル掛け５は、両蓋支持部材２１の先端に着脱可能に帽着されるキャップ５１とこれら両キャップ５１，５１間に架設された架材５２とを具備してなる。
【００２２】
以上詳述したような構成のものであれば、浴室の壁面７などの所望高さ位置に取り付けておくことによって壁面７に折りたたんだ前記浴槽蓋６を宙に浮かせた状態で保持することができる。このため、浴槽から取り外した前記浴槽蓋６を邪魔にならないよう適切に置いておくことができ、風呂全体としての利便性を向上することができる。しかも、前記浴槽蓋６を宙に浮かせた状態で保持することにより、前記浴槽蓋６の通気性が向上し、湿気を帯びた状態が解消されるとともに、石けん等の付着物が蓄積しにくくなり、衛生的に極めて優れたものとなる。
【００２３】
さらに、双方に独立した複数のハンガー構成部品１１により、浴槽蓋ハンガー１を構成しているので、小さな金型により成形することができる。
【００２４】
また、各前記ハンガー構成部品１１の全体形状がほぼＪの字形であるので、丸めた状態の前記浴槽蓋６に沿って安定して保持することができる。
【００２５】
さらに、前記ハンガー本体２に設けられた前記オプション支持部２２に前述したようなオプションたるタオル掛け５を取り付けることにより、複数の前記ハンガー構成部品１１が分断して設けられているにもかかわらず、前記ハンガー本体２のぐらつきを抑制することができる。
【００２６】
なお、本考案は、以上に詳述した実施形態に限られるものではない。
【００２７】
例えば、ハンガー本体の形状は本実施形態のものに限らず種々変更可能であり、また、壁面取付部の形状も四角柱に限られず、板状や円柱状等、壁面に取り付けることができる形状であればどのようなものであってもよい。さらに、壁面取付部はビスによって取り付けるものに限られず、リベットや接着剤、吸着盤を用いるもの等、種々変更可能である。
【００２８】
また、浴槽蓋ハンガー１の材質は、合成樹脂に限らずステンレスや真鍮等の金属であってもよい。合成樹脂の場合も塩化ビニールやポリプロピレンをはじめ、種々のものから選択することが可能である。
【００２９】
例えば、図６ないし図９は、本実施形態の変形例として、金属製の浴槽蓋ハンガーを示している。図６に示すのは、金属帯板材をコ字状に塑性変形させてハンガー本体Ａ２と壁面取付部Ａ３を構成したものである。図７に示すのは、金属帯板材をＪの字状に塑性変形させてハンガー本体Ｂ２と壁面取付部Ｂ３を構成したものである。図８に示すのは、金属帯板材を円形ループ状に塑性変形させてハンガー本体Ｃ２と壁面取付部Ｃ３を構成したものである。図９に示すのは、金属帯板材を角形ループ状に塑性変形させてハンガー本体Ｄ２と壁面取付部Ｄ３を構成したものである。なお、図８及び図９においては、さらに、前記ハンガー本体Ｃ２、Ｄ２の蓋支持部材Ｃ２１、Ｄ２１が、前記下面受け部Ｃ２１１、Ｄ２１１に支持された前記浴槽蓋６を上方に取り外すのを阻止する外れ止め部Ｃ２１２、Ｄ２１２を備えている。そのため、前記浴槽蓋６の上方への取り外しを阻止することができるので、接触等によって前記浴槽蓋６が上方から飛び出し、落下するのを防ぐことができる。
【００３０】
その他、各部の具体的構成についても上記実施形態に限られるものではなく、本考案の趣旨を逸脱しない範囲で種々変形が可能である。
【符号の説明】
【００３１】
１…浴槽蓋ハンガー
２…ハンガー本体
２１…蓋支持部材
２１１…下面受け部
２１２…外れ止め部
２２…オプション支持部
３…壁面取付部
３１…取付部材
６…浴槽蓋
７…壁面
【図１】
0003151547.tif 000003
【図２】
0003151547.tif 000004
【図３】
0003151547.tif 000005
【図４】
0003151547.tif 000006
【図５】
0003151547.tif 000007
【図６】
0003151547.tif 000008
【図７】
0003151547.tif 000009
【図８】
0003151547.tif 000010
【図９】
0003151547.tif 000011